(57)【要約】      （修正有）【課題】起立させた譜面板に天板があたることなく天板を開くことができ、放音効率が良く、楽器ケースの前後方向に演奏音を良好に放音できる鍵盤楽器を提供する。【解決手段】鍵盤部７が設けられた楽器ケース１と、この楽器ケース１の上部に配置される天板６と、鍵盤部７の鍵配列方向における天板６の一端部６ａが楽器ケース１の上部にその上下方向に回転する天板開閉機構２５と、楽器ケース１の前端上部に譜面板２４を後方に傾けて取り付ける譜面台と、を備え、天板開閉機構２５は、天板６を楽器ケース１の前後方向にスライド可能に取り付け、譜面板２４の上端部が譜面台から天板６側に突出した距離以上天板６を楽器ケース１の後方にスライドさせた状態で、天板６を上方に回転させて楽器ケース１の上部を開状態にする。【選択図】図１
2015184330.tif 000002
【特許請求の範囲】
【請求項１】
鍵盤部が設けられた楽器ケースと、
前記楽器ケースの上部に配置される天板と、
前記鍵盤部の鍵配列方向における前記天板の一端部が前記楽器ケースの上部にその上下方向に回転可能である天板開閉機構と、
前記天板が配置される前記楽器ケースの前端上部に、譜面板を後方に傾いた状態で取り付け可能な譜面台と、
を備え、
前記天板開閉機構は、前記天板を前記楽器ケースの前後方向にスライド可能に取り付け、少なくとも前記譜面板の上端部が前記譜面台から前記天板側に突出した距離以上前記天板を前記楽器ケースの後方に向けてスライドさせた状態で、前記天板の前記一端部を中心に前記天板を上方向に回転させて前記楽器ケースの上部を開状態に可能とすることを特徴とする鍵盤楽器。
【請求項２】
請求項１に記載の鍵盤楽器において、前記天板開閉機構は、前記天板の前記一端部を、これに対応する前記楽器ケースの一端部に、当該楽器ケースの前後方向にスライド可能で、かつ上下方向に回転可能に取り付けるスライド回転支持部を備えていることを特徴とする鍵盤楽器。
【請求項３】
請求項１または請求項２に記載の鍵盤楽器において、前記天板開閉機構は更に、前記天板の前記一端部と反対側に位置する前記天板の他端部を、これに対応する前記楽器ケースの他端部に、当該楽器ケースの前後方向にガイドするガイド機構部を備えていることを特徴とする鍵盤楽器。
【請求項４】
請求項３に記載の鍵盤楽器において、前記ガイド機構部は、前記天板の前記他端部とこれに対応する前記楽器ケースの前記他端部との一方に設けられたガイドフック部と、前記天板の前記他端部とこれに対応する前記楽器ケースの前記他端部との他方に設けられ、前記ガイドフック部を前記楽器ケースの前後方向に相対的にガイドし、かつ前記天板が前記楽器ケースの後方に移動した際に前記ガイドフック部を離脱可能にする切欠き部が設けられたガイド溝と、を有していることを特徴とする鍵盤楽器。
【請求項５】
請求項１〜請求項４のいずれかに記載の鍵盤楽器において、前記天板には、前記譜面立て部が配置される切欠き部が、前記譜面立て部に対応して設けられていることを特徴とする鍵盤楽器。
【請求項６】
請求項１〜請求項５のいずれかに記載の鍵盤楽器において、前記天板が開放された際に前記天板を支持する支持部材を備えていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子ピアノなどの鍵盤楽器においては、特許文献１に記載されているように、鍵盤部が設けられた楽器ケースの後端上部に、これと対応する天板の後端部を回転可能に取り付け、楽器ケースの前側に位置する天板の前端部を持ち上げて、天板を前上がりに傾斜させた状態で起立させることにより、楽器ケース内に設けられたスピーカの音を演奏者側に向けて放音させるようにするように構成されたものが知られている。
【先行技術文献】
【特許文献】
【０００３】
【特許文献１】特開平０９−１６０５６０号公報
【発明の概要】
【発明が解決しようとする課題】
【０００４】
しかしながら、このような鍵盤楽器では、コンサートなどで天板を開いて演奏する際に、天板が前上がりに傾斜した状態で楽器ケース上に起立するため、天板が常に演奏者側を向いて開くことになり、演奏音を演奏者に向けて放音させることができても、お客側に演奏音を良好に放音させることができないため、放音効率が悪いという問題がある。
【０００５】
また、楽器ケースの後部の奥行きが十分にないような小型の鍵盤楽器の場合、天板を上方向に開くと、楽器ケースの後方に傾けて起立させた譜面板に天板が衝突してしまうという問題がある。
【０００６】
この発明が解決しようとする課題は、起立させた譜面板に天板があたることなく天板を開くことができ、放音効率が良く、楽器ケースの前後方向に演奏音を良好に放音することができる鍵盤楽器を提供することである。
【課題を解決するための手段】
【０００７】
この発明は、鍵盤部が設けられた楽器ケースと、前記楽器ケースの上部に配置される天板と、前記鍵盤部の鍵配列方向における前記天板の一端部が前記楽器ケースの上部にその上下方向に回転可能である天板開閉機構と、前記天板が配置される前記楽器ケースの前端上部に、譜面板を後方に傾いた状態で取り付け可能な譜面台と、を備え、前記天板開閉機構は、前記天板を前記楽器ケースの前後方向にスライド可能に取り付け、少なくとも前記譜面板の上端部が前記譜面台から前記天板側に突出した距離以上前記天板を前記楽器ケースの後方に向けてスライドさせた状態で、前記天板の前記一端部を中心に前記天板を上方向に回転させて前記楽器ケースの上部を開状態に可能とすることを特徴とする鍵盤楽器である。
【発明の効果】
【０００８】
この発明によれば、天板を楽器ケースの後方にスライドさせることができ、この状態で鍵盤部の鍵配列方向における天板の一端部を中心に、天板を回転させて楽器ケースの上方に傾けて開くことができる。このため、楽器ケースの上部をその前後方向に開放することができると共に、楽器ケースの上部を最大限に開放することができるので、起立させた譜面板に天板があたることなく天板を開くことができ、これにより放音効率が良く、楽器ケースの前後方向に演奏音を良好に放音させることができる。
【図面の簡単な説明】
【０００９】
【図１】この発明を電子鍵盤楽器に適用した第１実施形態を示した正面図である。
【図２】図１に示された電子鍵盤楽器のＡ−Ａ矢視における拡大断面図である。
【図３】図１に示された電子鍵盤楽器における天板開閉機構のスライド回転支持部を示し、（ａ）は図１のＡ部を示した拡大断面図、（ｂ）はそのガイド軸およびスライド連結片を示した一部省略した拡大平面図である。
【図４】図１に示された電子鍵盤楽器における天板開閉機構のガイド機構部を示し、（ａ）は図１のＢ部を示した拡大断面図、（ｂ）はそのガイド溝の第２溝部を示した一部省略した拡大斜視図である。
【図５】図１に示された電子鍵盤楽器における天板支持部材を示した要部の拡大断面図である。
【図６】この発明を電子鍵盤楽器に適用した第２実施形態を示した平面図である。
【発明を実施するための形態】
【００１０】
（第１実施形態）
以下、図１〜図５を参照して、この発明を電子鍵盤楽器に適用した第１実施形態について説明する。
この電子鍵盤楽器は、図１および図２に示すように、楽器ケース１を備えている。この楽器ケース１は、前部側（図２では左側）が低く、後部側（図２では右側）が高い横長のほぼ箱形状に形成されている。
【００１１】
すなわち、この楽器ケース１は、図１および図２に示すように、底板２と、この底板２の前端部（図２では左端部）に起立して設けられた前板３と、底板２の後端部（図２では右端部）に起立して設けられた後板４と、底板２の左右両側部（図２では紙面の表裏面側の両側部）に起立して設けられた一対の側板５と、これら一対の側板５の後側上部および後板４の上部に開閉可能に配置される天板６と、を備えている。
【００１２】
この場合、前板３は、図１および図２に示すように、後板４の高さのほぼ半分程度の高さで形成されている。また、一対の側板５は、その前端部が前板３よりも少し高く形成され、前後方向（図２では左右方向）におけるほぼ中間部から後部側が後板４と同じ高さで形成され、前端部から中間部に向けて後部上がりに傾斜する傾斜部に形成されている。これにより、楽器ケース１は、一対の側板５の各傾斜部に対応する前部側が上方に開放された横長のほぼ箱形状に形成されている。
【００１３】
この楽器ケース１内には、図２に示すように、鍵盤部７が設けられている。この鍵盤部７は、楽器ケース１の底板２上に配置された鍵盤シャーシ８と、この鍵盤シャーシ８上に上下方向に回転可能な状態で並列に配列された複数の鍵９とを備えている。この鍵盤部７は、複数の鍵９が楽器ケース１の前部側から上方に露呈した状態で、押鍵操作されるように構成されている。
【００１４】
また、楽器ケース１内には、図２に示すように、スピーカ１０が鍵盤部７の後方に位置した状態で下向きに配置されている。このスピーカ１０は、鍵盤部７の各鍵９が押鍵操作された際に、その各鍵９に応じた音高の楽音を発生するように構成されている。この場合、楽器ケース１の底板２には、スピーカ１０の音を楽器ケース１の下側に向けて放音する放音孔２ａが設けられている。
【００１５】
また、この楽器ケース１内には、図１および図２に示すように、コンソールパネル１１が鍵盤部７の後部に位置する上側から天板６の前部の下側に向けて傾斜して設けられている。このコンソールパネル１１の上方に位置する一対の側板５間には、上前板１２が垂下された状態で設けられている。この上前板１２の下部とコンソールパネル１１の上部との間には、後述する鍵盤蓋１３が挿通するための隙間が設けられている。
【００１６】
さらに、この楽器ケース１内には、図１および図２に示すように、鍵盤部７の上側を覆う鍵盤蓋１３が蓋ガイド部１４によって開閉可能に設けられている。この鍵盤蓋１３は、前蓋１５と後蓋１６とを有し、この前蓋１５と後蓋１６とが蝶番１７によって折り曲げ可能に連結され、この状態で楽器ケース１内に収納される際に、前蓋１５と後蓋１６とが蝶番１７で折れ曲がるように構成されている。
【００１７】
この場合、前蓋１５の前端部には、図２に示すように、一対の側板５の各内面に向けてそれぞれ突出するガイド軸１５ａが設けられている。また、後蓋１６の前端部（図２では上端部）には、一対の側板５の各内面に向けてそれぞれ突出するガイド軸１６ａが設けられている。この後蓋１６の後端部（図２では下端部）には、支持軸１６ｂが取り付けられている。
【００１８】
蓋ガイド部１４は、図２に示すように、鍵盤蓋１３が鍵盤部７の上側を覆った際に前蓋１５と後蓋１６とをほぼ平板状に配置し、かつ鍵盤蓋１３が鍵盤部７を上側に開放した際に前蓋１５と後蓋１６とを蝶番１７で折り曲げ、この折り曲げられた後蓋１６を鍵盤部７の後部とスピーカ１０との間に配置させるように構成されている。
【００１９】
すなわち、この蓋ガイド部１４は、図２に示すように、ガイドレール部１８とガイド部材１９とを有している。ガイドレール部１８は、一対の側板５の内面に前板３の上側から、コンソールパネル１１の上側を経て、天板６の前後方向におけるほぼ中間部の下側に対応する箇所に向けて斜め上方に傾斜して設けられている。このガイドレール部１８は、前蓋１５のガイド軸１５ａと後蓋１６のガイド軸１６ａとをそれぞれ前後方向にガイドするように構成されている。
【００２０】
ガイド部材１９は、図２に示すように、鍵盤部７の後端部の上部付近に位置する箇所の側板５の内面に設けられた支持軸２０と、この支持軸２０に回転自在に取り付けられ、かつ後蓋１６の支持軸１６ｂが回転可能に取り付けられるアーム部２１と、を備えている。これにより、このガイド部材１９は、支持軸２０を中心にアーム部２１が上下方向に回転することにより、後蓋１６の支持軸１６ｂを上下方向に半円弧状に沿ってガイドするように構成されている。
【００２１】
一方、楽器ケース１の前後方向における中間部に位置する上部には、図１および図２に示すように、譜面立て部２２が設けられている。この譜面立て部２２は、天板６が配置される楽器ケース１の前端上部に設けられた譜面台２３と、この譜面台２３上に起立して取り付けられる譜面板２４と、を有している。
【００２２】
譜面台２３は、図１および図２に示すように、鍵盤部７の鍵配列方向に長い板であり、その前端部が上前板１２の上部に配置され、両側部が一対の側板５の前後方向における中間部の上部、つまり上前板１２の両端に位置する一対の側板５上に配置されるように構成されている。この譜面台２３には、譜面板２４を取り付けるための取付孔２３ａが後方に傾いて設けられている。
【００２３】
譜面板２４は、譜面（図示せず）を立て掛けるための板である。この譜面板２４の下部には、図２に示すように、譜面台２３の取付孔２３ａに挿脱可能に挿入する挿入突起部２４ａが設けられている。これにより、譜面板２４は、挿入突起部２４ａが譜面台２３の取付孔２３ａに斜め上方から挿入することにより、後方に傾いた状態で譜面台２３に取り付けられるように構成されている。この場合、譜面板２４は、その上端部が譜面台２３の後部から楽器ケース１の後方に向けて所定長さＳだけ天板６側に突出した状態で配置されるように構成されている。
【００２４】
ところで、天板６は、図１および図２に示すように、天板開閉機構２５によって楽器ケース１の後部側の上部に上下方向に回転可能で、かつスライド可能に取り付けられている。すなわち、この天板開閉機構２５は、図１および図３に示すように、鍵盤部７の鍵配列方向における天板６の一端部６ａ（図１では左端部）を、これに対応する楽器ケース１の一端部１ａに、その前後方向にスライド可能でかつ上下方向に回転可能に取り付けるスライド回転支持部２６を備えている。
【００２５】
このスライド回転支持部２６は、図１および図３に示すように、楽器ケース１の一端部１ａ上、つまり天板６の一端部６ａが対応する楽器ケース１における一対の側板５のうち、一方の側板５（図１では左側の側板５）の上端部に、楽器ケース１の前後方向に沿って設けられたガイド軸２７と、天板６の一端部６ａが取り付けられた状態で、ガイド軸２７にスライド可能でかつ回転可能に取り付けられたスライド連結片２８と、を備えている。
【００２６】
この場合、ガイド軸２７は、図３（ａ）および図３（ｂ）に示すように、楽器ケース１の前後方向における両端部が取付金具２７ａによって側板５の上端部に少し浮いた状態で取り付けられている。このガイド軸２７は、譜面板２４の上端部が譜面台２３の後部から天板６側に向けて突出する長さＳよりも、少し長い長さＬ（Ｌ＞Ｓ）で形成されている。
【００２７】
スライド連結片２８は、図３（ａ）および図３（ｂ）に示すように、ガイド軸２７に回転可能で、かつスライド可能に取り付けられている。このスライド連結片２８は、その一端部がガイド軸２７に回転自在に取り付けられた状態で、他端部がガイド軸２７に対応する天板６の一端部６ａに取り付けられるように構成されている。
【００２８】
これにより、天板６は、図２および図３に示すように、スライド連結片２８がガイド軸２７に沿って移動することにより、楽器ケース１の前後方向にスライドすると共に、スライド連結片２８がガイド軸２７を中心に回転することにより、上下方向に回転し、楽器ケース１の上部を開閉するように構成されている。
【００２９】
また、この天板開閉機構２５は、図１および図２に示すように、天板６の一端部６ａと反対側に位置する天板６の他端部６ｂを、これに対応する楽器ケース１の他端部１ｂ上に、その前後方向にガイドするガイド機構部３０を備えている。このガイド機構部３０は、天板６の他端部６ｂが対応する楽器ケース１の他端部１ｂ上に設けられたガイドフック部３１と、天板６の他端部６ｂに設けられてガイドフック部３１がスライド可能に挿入するガイド溝３２と、を備えている。
【００３０】
ガイドフック部３１は、図４（ａ）に示すように、楽器ケース１の他端部１ｂに位置する側板５上に設けられたガイド支持片３１ａと、このガイド支持片３１ａの側面、つまり楽器ケース１の内部側に位置するガイド支持片３１ａの側面に設けられて鍵配列方向に向けて突出するガイド突起３１ｂと、を有している。このガイドフック部３１は、天板６のガイド溝３２内に挿入された状態で、ガイド溝３２内で相対的にスライドすることにより、天板６の他端部６ｂを楽器ケース１の前後方向にガイドするように構成されている。
【００３１】
ガイド溝３２は、図４（ａ）および図４（ｂ）に示すように、ガイド支持片３１ａが下側から挿入した状態で楽器ケース１の前後方向に移動する第１溝部３２ａと、ガイド突起３１ｂが鍵配列方向における側方から挿入して楽器ケース１の前後方向に移動可能で、かつ天板６が楽器ケース１の後方に向けて移動した際にガイド突起３１ｂを天板６の下側に離脱させるための切欠き部３２ｃが設けられた第２溝部３２ｂと、を有している。
【００３２】
この場合、ガイド溝３２は、図２および図４（ｂ）に示すように、その長さがスライド回転支持部２６のガイド軸２７の長さと同じ長さＬで、譜面板２４の上端部が譜面台２３の後部から天板６側に向けて突出する長さＳよりも、少し長く（Ｌ＞Ｓ）形成されている。このガイド溝３２の第１溝部３２ａは、下側に開放された状態で形成されていることにより、ガイド支持片３１ａが下側から挿入した状態で、天板６と共に楽器ケース１の前後方向に移動するように形成されている。
【００３３】
また、このガイド溝３２の第２溝部３２ｂは、図４（ａ）および図４（ｂ）に示すように、断面形状が逆コ字形状の細長い部材であり、第１溝部３２ａに向けて開放され、この開放された部分からガイド突起３１ｂが挿入した状態で、天板６と共に楽器ケース１の前後方向に移動するように形成されている。この第２溝部３２ｂの前端下部、つまり楽器ケース１の前後方向における第２溝部３２ｂの前端下部（図４（ｂ）では左端部）には、ガイド突起３１ｂが第２溝部３２ｂの内部とその下側外部とに通り抜ける切欠き部３２ｃが設けられている。
【００３４】
これにより、天板６は、図１、図２および図４に示すように、楽器ケース１の上部に配置された状態で、楽器ケース１の前後方向にスライドする際に、ガイドフック部３１のガイド支持片３１ａがガイド溝３２の第１溝部３２ａ内を相対的に移動すると共に、ガイドフック部３１のガイド突起３１ｂが上下動することなくガイド溝３２の第２溝部３２ｂ内を相対的に移動することにより、天板６の他端部６ｂが楽器ケース１の前後方向にガイドされるように構成されている。
【００３５】
すなわち、この天板６は、図２および図４に示すように、楽器ケース１の上部に配置された状態で、楽器ケース１の前側にスライドして譜面立て部２２の譜面台２３の後端部に当接した際に、楽器ケース１の上部を塞ぐように構成されている。また、この天板６は、楽器ケース１の上部に配置された状態で、楽器ケース１の後方に向けてスライドして譜面立て部２２の譜面板２４の上端部よりも後方に移動した際に、楽器ケース１の上部を一部開放するように構成されている。
【００３６】
この場合、天板６は、図２および図４に示すように、楽器ケース１の上部に配置された状態で、譜面立て部２２の譜面板２４の上端部よりも後方に移動して、ガイドフック部３１のガイド突起３１ｂがガイド溝３２の第２溝部３２ｂの切欠き部３２ｃに対応した際に、ガイド突起３１ｂが第２溝部３２ｂ内から切欠き部３２ｃを通して離脱可能な状態になることにより、上方に向けて回転移動可能な状態になるように構成されている。
【００３７】
これにより、天板６は、図１および図２に示すように、楽器ケース１の後方に移動して、ガイドフック部３１のガイド突起３１ｂがガイド溝３２の第２溝部３２ｂの切欠き部３２ｃに対応した状態で、天板６の一端部６ａに位置するスライド回転支持部２６のガイド軸２７を中心に回転して、楽器ケース１の上方に位置することにより、楽器ケース１の上部を開放するように構成されている。
【００３８】
また、この天板６の下面には、図２に示すように、天板６の後方へのスライド位置を規制するストッパ片３３が設けられている。すなわち、このストッパ片３３は、楽器ケース１の上部に配置された天板６が楽器ケース１の後方に向けてスライドして、ガイド機構部３０のガイドフック部３１のガイド突起３１ｂがガイド溝３２の第２溝部３２ｂの切欠き部３２ｃに対応した際に、楽器ケース１の他端部１ｂの内面に当接して、天板６の後方へのスライド位置を規制するように構成されている。
【００３９】
一方、この楽器ケース１には、図１、図２および図５に示すように、天板６を楽器ケース１上に傾けて起立させる天板支持部材３５が設けられている。この天板支持部材３５は、天板６の他端部６ｂが対応する楽器ケース１の他端部１ｂ側（図５では右端部側）の内部に設けられた支持軸３６と、この支持軸３６に回転可能でかつスライド可能に設けられて起立横倒する支持板３７と、この支持板３７を天板６の開閉動作に連動して起立横倒させる連動部材３８とを備えている。
【００４０】
支持軸３６は、図１、図２および図５に示すように、楽器ケース１の他端部１ｂ側に位置する後板４と上前板１１との間に架け渡されている。支持板３７は、一端部３７ａである下端部と他端部３７ｂである上端部とが同じ幅で形成された縦長の平板状に形成されている。この支持板３７は、一端部３７ａに支持軸３６が回転可能に挿入することにより、この支持軸３６を中心に上下方向に回転すると共に、支持軸３６に沿って楽器ケース１の前後方向にスライドするように構成されている。
【００４１】
また、この支持板３７の他端部３７ｂには、図１、図２および図５に示すように、連動部材３８によってガイドされる支持突起３９が楽器ケース１の前後方向に突出して設けられている。この支持突起３９は、図２および図５に示すように、支持板３７の他端部３７ｂである上端部に取り付けられたピン部材であり、その両端部が支持板３７の両側から楽器ケース１の前後方向に突出するように構成されている。
【００４２】
連動部材３８は、図１、図２および図５に示すように、支持突起３９の両端部を保持した状態で、天板６の下面に設けられ、天板６の開閉動作に応じて支持突起３９の両端部を鍵盤部７の鍵配列方向に沿ってガイドする一対のガイド部３８ａを有している。このガイド部３８ａは、帯状板の両端部を上側に向けて折り曲げ、この折り曲げられた各上端部を更に天板６の下面に沿って互いに反対方向に向けて折り曲げた形状に形成されている。
【００４３】
また、これら一対のガイド部３８ａは、図１、図２および図５に示すように、支持板３７の他端部３７ｂにおける前後方向の長さよりも少し広い間隔を置いて、互いに平行な状態で各両端部が天板６の下面に取り付けられている。これにより、一対のガイド部３８ａは、天板６の下面との間に支持突起３９の両端部が移動可能に挿入するガイド部を形成するように構成されている。
【００４４】
また、一対のガイド部３８ａは、図５に示すように、天板６の開閉動作に応じて徐々に傾きが変化しながら上下方向に変位することにより、支持突起３９の両端部を上下方向に移動させながら鍵盤部７の鍵配列方向に沿って移動させるように構成されている。この場合、一対のガイド部３８ａが対応する天板６の下面には、支持突起３９を位置規制する複数の規制突起３８ｂが鍵配列方向に沿って設けられている。
【００４５】
すなわち、これら複数の規制突起３８ｂは、図５に示すように、ガイド部３８ａとの間を支持突起３９が通り抜ける隙間が設けられ、これら複数の規制突起３８ｂのいずれかの下側を支持突起３９が通り抜けた状態で、天板６が自重で押し下げられた際に、支持突起３９をそれぞれ係止することにより、天板6の開き角度を複数段階（この実施形態では３段階）に調整するように構成されている。
【００４６】
これにより、天板支持部材３５は、図５に２点鎖線で示すように、天板６が閉じて楽器ケース１上に配置された際に、連動部材３８の一対のガイド部３８ａが楽器ケース１内に配置されるように構成されている。このため、天板支持部材３５は、支持突起３９の両端部が楽器ケース1内に配置されると共に、一対のガイド部３８ａにおける天板６の回転支点側である一端部６ａ側に最も接近し、支持板３７が支持軸３６を中心に反時計回りに回転して横倒するように構成されている。
【００４７】
この状態で、天板支持部材３５は、図２および図５にそれぞれ２点鎖線で示すように、天板６が楽器ケース1上で前後方向にスライドすると、連動部材３８の一対のガイド部３８ａが天板６と共に楽器ケース１の前後方向に移動し、これに伴って支持板３７が支持軸３６に沿って楽器ケース１の前後方向にスライドするように構成されている。
【００４８】
また、この天板支持部材３５は、図１、図２および図５に示すように、天板６が楽器ケース１上に傾斜して起立する際に、連動部材３８の一対のガイド部３８ａが楽器ケース１の上方に向けて傾きながら変位するように構成されている。このため、天板支持部材３５は、支持突起３９の両端部が一対のガイド部３８ａに沿って徐々に上方に移動すると共に、一対のガイド部３８ａにおける天板６の他端部６ｂ側に向けて移動し、支持板３７が支持軸３６を中心に時計回りに回転して徐々に起立するように構成されている。
【００４９】
この場合、天板支持部材３５は、図１、図２および図５に示すように、支持突起３９の両端部が一対のガイド部３８ａと規制突起３８ｂとの間を通り抜けた際に、天板６が自重で下がると、通り抜けた規制突起３８ｂに支持突起３９が位置規制され、これにより支持板３７が起立して、天板６を楽器ケース１上に所定角度で傾斜させて起立させるように構成されている。
【００５０】
次に、このような電子鍵盤楽器の作用について説明する。
この電子鍵盤楽器で演奏する際には、予め、楽器ケース１上に設けられた譜面立て部２２の譜面台２３に譜面板２４を立て掛け、この状態で天板６を開く。この場合には、まず、楽器ケース１の上部に配置されている天板６を楽器ケース１の後方に向けてスライドさせる。
【００５１】
このときには、天板開閉機構２５のスライド回転支持部２６によって天板６の一端部６ａが楽器ケース１の後方に向けてガイドされると共に、天板開閉機構２５のガイド機構部３０によって天板６の他端部６ｂが楽器ケース１の後方に向けてガイドされる。すなわち、スライド回転支持部２６は、天板６の一端部６ａに設けられたスライド連結片２８が楽器ケース１の一端部１ａに設けられたガイド軸２７に沿ってスライドすることにより、天板６の一端部６ａを楽器ケース１の後方に向けてガイドする。
【００５２】
また、天板開閉機構２５のガイド機構部３０は、楽器ケース１の他端部１ｂに設けられたガイドフック部３１が天板６の他端部６ｂに設けられたガイド溝３２内で相対的にスライドすることにより、天板６の他端部６ｂを楽器ケース１の後方に向けてガイドする。この場合、ガイド機構部３０は、ガイドフック部３１のガイド支持片３１ａがガイド溝３２の第１溝部３２ａ内を相対的に移動すると共に、ガイドフック部３１のガイド突起３１ｂが上下動することなくガイド溝３２の第２溝部３２ｂ内を相対的に移動する。
【００５３】
これにより、譜面立て部２２の譜面台２３の後方に位置する楽器ケース１の上部の一部が開放される。そして、天板６の下面に設けられたストッパ片３３が楽器ケース１の他端部６ｂの内面に当接すると、天板６の後方への移動が規制され、ガイドフック部３１のガイド突起３１ｂがガイド溝３２の第２溝部３２ｂの切欠き部３２ｃに対応する。これにより、ガイド突起３１ｂが第２溝部３２ｂ内から切欠き部３２ｃを通して、その下側に離脱可能な状態になり、天板６が上方に向けて回転移動可能な状態になる。
【００５４】
この状態で、天板６の一端部６ａに位置するガイド軸２７を中心に、天板６を回転させて楽器ケース１の上部を開放する。この場合には、天板６の一端部６ａと反対側に位置する天板６の他端部６ｂを天板６の重量に抗して持ち上げれば良い。すると、天板６の支点部であるスライド回転支持部２６のガイド軸２７を中心に天板６が回転しながら、楽器ケース１の他端部１ｂ上のガイドフック部３１が天板６の他端部６ｂのガイド溝３２内から離脱するので、天板６の他端部６ｂが持ち上げられる。
【００５５】
このときには、譜面立て部２２の譜面板２４が後方に傾いた状態で譜面台２３上に起立し、この譜面板２４の上端部が譜面台２３の後方に突出していても、この譜面板２４が邪魔にならずに、この譜面板２４を避けて天板６を上方に回転させることができる。また、このときには、天板支持部材３５によって天板６が楽器ケース１の上方に傾いた状態で支持される。
【００５６】
すなわち、天板支持部材３５の連動部材３８における一対のガイド部３８ａが天板６と共に楽器ケース１の上方に向けて傾きながら変位する。すると、天板支持部材３５の支持板３７における支持突起３９の両端部が一対のガイド部３８ａによって徐々に上方に引き上げられると共に、一対のガイド部３８ａに沿って移動する。
【００５７】
これにより、支持突起３９の両端部が連動部材３８の一対のガイド部３８ａにおける天板６の他端部６ｂに向けて移動する。このため、支持板３７が支持軸３６を中心に時計回りに回転して徐々に起立する。この場合には、支持突起３９の両端部が一対のガイド部３８ａと規制突起３８ｂとの間を順次通り抜ける。
【００５８】
このように支持突起３９の両端部が一対のガイド部３８ａと規制突起３８ｂとの間を通り抜けた際に、天板６が自重で下がると、通り抜けた規制突起３８ｂに支持突起３９が位置規制される。これにより、天板６が楽器ケース１上に所定角度で傾斜した状態で開き、この状態で支持板３７によって天板６が楽器ケース１上に支持される。
【００５９】
このように天板６が開いた状態では、鍵盤蓋１３を開いて鍵盤部２を開放させる。このときには、鍵盤蓋３の前板１５を天板６の下側に移動させ、かつ前蓋１５に対して後蓋１６を蝶番１７で折り曲げて、後蓋１６の後端部に位置する支持軸１６ｂをガイド部材１９のアーム部２１によって引き下げ、後蓋１６を鍵盤部７の後部とスピーカ１０との間に配置させる。
【００６０】
この状態で、譜面立て部２２の譜面板２４に譜面（図示せず）を立て掛けて、鍵盤部７を押鍵操作して演奏をすることができる。このときには、演奏に応じた楽音がスピーカ１０で発生され、この発生された楽音が楽器ケース１の底板２に設けられた放音孔２ａから楽器ケース１の下側に放音される。
【００６１】
また、このときには、天板６が楽器ケース１の上方に開いて楽器ケース１の上部が開放されているので、スピーカ１０で発生された楽音が楽器ケース１の上部から上方に放音される。この楽器ケース１の上方に放音された楽音は、天板６で反響されて楽器ケース１の前後方向および楽器ケース１の他端部１ｂ側の側方から放音される。これにより、演奏音が良好に放音される。
【００６２】
一方、天板６を閉じる際には、天板６を一度持ち上げて支持板３７の支持突起３９の両端部を天板６の下面から離す。すると、支持板３７が支持軸３６を中心に回転して倒れる方向に傾く。この状態で、天板６を徐々に押し下げると、支持突起３９の両端部が一対のガイド部３８ａに沿って徐々に下方に移動すると共に、一対のガイド部３８ａにおける天板６の一端部６ａ側に向けて移動する。これにより、支持板３７が支持軸３６を中心に反時計回りに回転して横倒し、天板６が楽器ケース１上に配置される。
【００６３】
このときには、天板６が楽器ケース１の後方に突出した状態で配置されるので、天板６を下側に回転させて楽器ケース１上に配置する際に、譜面板２４が邪魔にならずに、譜面板２４を避けて天板６を下方に回転させることができる。このように、天板６が楽器ケース１上に配置された際には、天板６が楽器ケース１の後方に突出しているので、楽器ケース１の上部が一部開放された状態になる。
【００６４】
このため、天板６を楽器ケース６の前側に向けてスライドさせる。このときにも、天板開閉機構２５のスライド回転支持部２６によって天板６の一端部６ａが楽器ケース１の前方に向けてガイドされると共に、天板開閉機構２５のガイド機構部３０によって天板６の他端部６ｂが楽器ケース１の前方に向けてガイドされる。これにより、天板６の前端部が譜面立て部２２の譜面台２３の後端部に当接することにより、楽器ケース１の上部が天板６によって塞がれる。
【００６５】
このように、この電子鍵盤楽器によれば、鍵盤部７が設けられた楽器ケース１と、この楽器ケース１の上部に配置される天板６と、鍵盤部７の鍵配列方向における天板６の一端部６ａが楽器ケース１の上部にその上下方向に回転可能で、かつ楽器ケース１の前後方向にスライド可能に取り付けられ、天板６を楽器ケース１の後方に向けてスライドさせた状態で、天板６の一端部６ａを中心に天板６を上下方向に回転させて楽器ケース１の上部を開閉させる天板開閉機構２５と、を備えていることにより、放音効率が良く、楽器ケース１の前後方向に演奏音を良好に放音することができる。
【００６６】
すなわち、この電子鍵盤楽器では、天板開閉機構２５によって天板６を楽器ケース１の後方にスライドさせることができ、この状態で天板開閉機構２５によって鍵盤部７の鍵配列方向における一端部６ａを中心に、天板６を回転させて楽器ケース１の上方に傾けて開くことができる。このため、楽器ケース１の上部をその前後方向に開放することができると共に、楽器ケース１の上部を最大限に開放することができるので、放音効率が良く、楽器ケース１の前後方向に演奏音を良好に放音させることができる。
【００６７】
この場合、天板６が配置される楽器ケース１の前側上部には、譜面立て部２２が設けられていることにより、鍵盤部７を押鍵操作して演奏する際に、譜面立て部２２に譜面（図示せず）を立て掛けることができ、これにより譜面を見ながら良好に演奏することができる。すなわち、譜面立て部２２は、天板６が配置される楽器ケース１の前端上部に配置された譜面台２３と、この譜面台２３上に起立して取り付けられる譜面板２４とを有しているので、この譜面板２４に譜面を良好に立て掛けることができる。
【００６８】
この場合、譜面立て部２２は、譜面台２３の取付孔２３ａに譜面板２４の挿入突起部２４ａを挿入させることにより、譜面台２３上に譜面板２４を簡単に取り付けることができると共に、譜面台２３上に譜面板２４を後方に傾けた状態で起立させて取り付けることができ、このため譜面板２４に譜面を傾けた状態で良好に立て掛けることができる。
【００６９】
また、譜面板２４は、その上端部が譜面台２３の後部から天板６側に向けて所定長さＳだけ突出した状態で配置されていても、天板開閉機構２５によって天板６を楽器ケース１の後方にスライドさせることができるので、譜面板２４が邪魔にならず、この譜面板２４を避けて、天板６を楽器ケース１の上方に傾けた状態で、良好に開くことができる。
【００７０】
また、この電子鍵盤楽器では、天板開閉機構２５が、天板６の一端部６ａを、これに対応する楽器ケース１の一端部１ａに、その前後方向にスライド可能で、かつ上下方向に回転可能に取り付けるスライド回転支持部２６を備えていることにより、天板６の一端部６ａが回転支点であっても、スライド回転支持部２６によって天板６の一端部６ａを楽器ケース１に対して回転可能な状態で、楽器ケース１の前後方向に確実にかつ良好にスライドさせることができる。
【００７１】
すなわち、このスライド回転支持部２６は、天板６の一端部６ａが対応する楽器ケース１の一端部１ａにその前後方向に沿って設けられたガイド軸２７と、天板６の一端部６ａが取り付けられた状態で、ガイド軸２７にスライド可能でかつ回転可能に取り付けられたスライド連結片２８と、を備えていることにより、天板６を楽器ケース１の前後方向にスライドさせる際に、スライド連結片２８によって天板６の一端部６ａをガイド軸２７に沿って円滑にスライドさせることができ、また天板６を上下方向に回転させる際に、スライド連結片２８によってガイド軸２７を中心に天板６を良好に回転させることができる。
【００７２】
また、この電子鍵盤楽器では、天板開閉機構２５が、天板６の一端部６ａと反対側に位置する天板の他端部６ｂを、これに対応する楽器ケース１の他端部１ｂに、その前後方向にガイドするガイド機構部３０を備えていることにより、天板６を楽器ケース１の前後方向にスライドさせる際に、ガイド機構部３０によって天板６の他端部６ｂを円滑にかつ良好にガイドすることができる。
【００７３】
すなわち、ガイド機構部３０は、楽器ケース１の他端部１ｂ上に設けられたガイドフック部３１と、天板６の他端部６ｂに設けられてガイドフック部３１がスライド可能に挿入するガイド溝３２と、を備えていることにより、天板６を楽器ケース１の前後方向にスライドさせる際に、ガイドフック部３１をガイド溝３２内で相対的にスライドさせることができ、これにより天板６の他端部６ｂを円滑にかつ良好にガイドしながらスライドさせることができる。
【００７４】
この場合、ガイド溝３２は、天板６の他端部６ｂに設けられ、ガイドフック部３１を相対的に楽器ケース１の前後方向にガイドし、かつ天板６が楽器ケース１の後方に移動した際にガイドフック部３１を離脱可能にする切欠き部３２ａが設けられた構成であるから、天板６の他端部６ｂを楽器ケース１の前後方向にガイドすることができると共に、ガイドフック部３１を切欠き部３２ａに対応させてガイド溝３２内から離脱させることができる。
【００７５】
すなわち、このガイド溝３２は、ガイドフック部３１を切欠き部３２ａに対応させた状態で、天板６の他端部６ｂを引き上げると、切欠き部３２ａを通してガイドフック部３１をガイド溝３２内から離脱させることができるので、天板６を楽器ケース１の上方に向けて確実にかつ良好に回転させることができる。
【００７６】
また、このガイド溝３２は、ガイドフック部３１のガイド支持片３１ａが楽器ケース１の前後方向に相対的に移動する第１溝部３２ａと、ガイド突起３１ｂが楽器ケース１の前後方向に相対的に移動する第２溝部３２ｂと、を有しているので、この第２溝部３２ｂ内にガイド突起３１ｂを挿入させることができ、これにより天板６が楽器ケース１の上部にこれを塞いで配置された際に、天板６が不用意に回転して開かないように、ロックすることができる。
【００７７】
さらに、この電子鍵盤楽器では、天板６が開放された際に天板６を支持する天板支持部材３５を備えていることにより、天板６を楽器ケース１の後方にスライドさせた状態で、天板６を上方に回転させて楽器ケース１の上方に傾けた際に、この傾いた天板６を天板支持部材３５によって確実にかつ安全に支持することができる。
【００７８】
この場合、天板支持部材３５は、天板６の他端部６ｂが対応する楽器ケース１の他端部１ｂ側の内部に設けられた支持軸３６と、この支持軸３６に回転可能でかつスライド可能に設けられて起立横倒する支持板３７と、この支持板３７を天板６の開閉動作に連動して起立横倒させる連動部材３８とを備えていることにより、天板６を楽器ケース１の後方にスライドさせて上方に回転させる際に、この天板６に連動して支持板３７をスライドさせた後に起立させることができる。
【００７９】
すなわち、この天板支持部材３５は、天板６を楽器ケース１の後方に向けてスライドさせる際に、天板６と共に連動部材３８を楽器ケース１の後方に向けてスライドさせることができると共に、この連動部材３８のスライドに伴って支持板３７を支持軸３６に沿って自動的にスライドさせることができる。また、天板６が上方に向けて回転して楽器ケース１の上部を開放する際には、連動部材３８によって支持軸３６を中心に支持板３７を回転させて自動的に起立させることができる。
【００８０】
この場合、天板支持部材３５は、鍵配列方向に沿って設けられて、支持板３７の支持突起３９を位置規制する複数の規制突起３８ｂを備えていることにより、天板６が上方に向けて回転して、支持板３７が支持軸３６を中心に回転して起立する際に、支持板３７の支持突起３９を複数の規制突起３８ｂのいずれかで位置規制することができ、これにより天板６の開き角度を複数段階に調整することができる。
【００８１】
（第２実施形態）
次に、図６を参照して、この発明を電子鍵盤楽器に適用した第２実施形態について説明する。なお、図１〜図５に示された第１実施形態と同一部分には同一符号を付して説明する。
この電子鍵盤楽器は、図６に示すように、天板４０の形状および譜面立て部４１の形状が第１実施形態の天板６と異なる構成であり、これ以外は第１実施形態と同じ構成になっている。
【００８２】
すなわち、譜面立て部４１は、図６に示すように、楽器ケース１の前後方向における中間部に位置する上部に設けられている。この譜面立て部４１は、第１実施形態と同様、天板４０が配置される楽器ケース１の前端上部における鍵盤部７の鍵配列方向における中間部に配置された譜面台４２と、この譜面台４２上に起立して取り付けられる譜面板２４と、を有している。
【００８３】
譜面台４２は、図６に示すように、鍵盤部７の鍵配列方向に長い板であり、その長さが鍵配列方向の鍵盤部７の長さのほぼ半分の長さで形成されている。これにより、譜面台４２は、その前端部が上前板１２の上部における中間部に配置されて、上前板１２から後方に向けて突出した状態で、上前板１２の上部に取り付けられるように構成されている。この譜面台４２には、第１実施形態と同様、譜面板２４を取り付けるための取付孔（図示せず）が後方に傾いて設けられている。
【００８４】
この場合、譜面台４２は、図６に示すように、上前板１２から後方に向けて突出した状態で、上前板１２の上部のみに取り付けられた構成であっても良い。また、これに限らず、譜面台４２は、上前板１２から後方に向けて突出した部分の下面に補強板（図示せず）を設け、この補強板を上前板１２の後面に取り付けることにより、上前板１２に強固に取り付けられるように構成されていても良い。
【００８５】
譜面板２４は、第１実施形態と同様、譜面（図示せず）を立て掛けるための板である。この譜面板２４の下部には、譜面台４２の取付孔（図示せず）に挿脱可能に挿入する挿入突起部２４ａ（図２参照）が設けられている。これにより、譜面板２４は、挿入突起部２４ａが譜面台４２の取付孔に斜め上方から挿入することにより、後方に傾いた状態で譜面台４２に取り付けられるように構成されている。この場合にも、譜面板２４は、その上端部が譜面台４２の後部から天板４０側に向けて所定長さＳだけ突出した状態で配置されるように構成されている。
【００８６】
一方、天板４１は、図６に示すように、楽器ケース１の上部、つまり楽器ケース１の前後方向における中間部から後端部に位置する楽器ケース１の上部とほぼ同じ大きさの平板状に形成されている。この場合、天板４０の前端部における鍵配列方向の中間部には、譜面台４２とほぼ同じ大きさの切欠き部４３が設けられている。
【００８７】
これにより、天板４０は、図６に実線で示すように、楽器ケース１の上部にこれを塞いで配置された際に、切欠き部４３内に譜面台４２が配置されることにより、切欠き部４３の両側に位置する天板４０の前端部が上前板１２上に配置された状態で、楽器ケース１の上部を塞ぐように構成されている。
【００８８】
また、この天板４０は、図６に２点鎖線で示すように、楽器ケース１の後方にスライドして、切欠き部４３内の前端部が譜面台４２上に起立した譜面板２４の上端部よりも後方に長さＳだけ移動した際に、切欠き部４３内から譜面台４２が抜け出すことにより、楽器ケース１の上部における一部を開放するように構成されている。
【００８９】
また、この天板４０は、図６に２点鎖線で示すように、切欠き部４３内から譜面台４２が抜け出した状態で、天板４０の一端部４０ａに設けられたスライド回転支持部２６によって、天板４０の一端部４０ａを中心に上方に向けて回転する際に、譜面板２４が邪魔にならず、この譜面板２４を避けて、楽器ケース１の上方に傾いて配置されるように構成されている。
【００９０】
この場合にも、天板４０は、第１実施形態と同様、その一端部４０ａが楽器ケース１の一端部１ａにスライド回転支持部２６によって楽器ケース１の前後方向にスライド可能で、かつ上下方向に回転可能な状態で取り付けられるように構成されている。また、この天板４０は、その他端部４０ｂが楽器ケース１の他端部１ｂにスライド機構部３０によって楽器ケース１の前後方向にスライド可能で、かつ上方に向けて回転移動可能に取り付けられるように構成されている。
【００９１】
このような第２実施形態の電子鍵盤楽器によれば、第１実施形態と同様の作用効果があるほか、天板４０に譜面立て部２２の譜面台４２に対応する切欠き部４３が設けられていることにより、この切欠き部４３内に譜面台４２を配置することができる。このため、天板４０を楽器ケース１の上部とほぼ同じ大きさの平板状に形成することができると共に、切欠き部４３の両側に位置する天板４０の前端部を上前板１２上に配置させた状態で、楽器ケース１の上部を天板４０で確実にかつ良好に塞ぐことができる。
【００９２】
これにより、この電子鍵盤楽器では、天板４０を楽器ケース１の後方に向けてスライドさせて、天板４０の一端部４０ａを中心に天板４０を上方に回転させて楽器ケース１の上部を開放した際に、楽器ケース１の上部の開放面積を第１実施形態よりも広くすることができる。このため、この電子鍵盤楽器では、第１実施形態よりも、開放面積を広くすることができるので、より一層、放音効率を向上させることができ、楽器ケース１の前後方向に演奏音を良好に放音することができる。
【００９３】
なお、上述した第１、第２の各実施形態では、ガイド機構部３０のガイドフック部３１を楽器ケース１の他端部１ｂに設け、ガイド溝３２を天板６、４０の他端部６ｂ、４０ｂに設けた場合について述べたが、これに限らず、例えばガイド機構部３０のガイドフック部３１を天板６、４０の他端部６ｂ、４０ｂに設け、ガイド溝３２を楽器ケース１の他端部１ｂに設けた構成であっても良い。また、天板６、４０は電気的に開閉させても良い。
【００９４】
また、上述した第１、第２の各実施形態では、ガイド機構部３０のガイド溝３２がガイドフック部３１のガイド支持片３１ａが移動可能に挿入する第１溝部３２ａと、ガイド突起３１ｂが移動可能に挿入する第２溝部３２ｂと、を有している場合について述べたが、これに限らず、ガイド溝３２はガイドフック部３１が下側から挿入して楽器ケース１の前後方向に相対的に移動するだけの形状に形成されていても良い。この場合には、ガイドフック部３１がガイド突起３１ｂを備えている必要がないため、ガイド機構部３０の構造が簡単になり、低コスト化を図ることができる。
【００９５】
また、上述した第１、第２の各実施形態では、天板支持部材３５の支持軸３６を楽器ケース１に設け、天板支持部材３５の連動部材３８である一対のガイド部３８ａを天板６、４０の下面に設けた場合について述べたが、これに限らず、例えば、天板支持部材３５の支持軸３６を天板６、４０の下面に設け、天板支持部材３５の連動部材３８である一対のガイド部３８ａを楽器ケース１に設けた構成であっても良い。
【００９６】
さらに、上述した第１、第２の各実施形態では、スピーカ１０を楽器ケース１内に下向きに設けた場合について述べたが、これに限らず、例えばスピーカ１０を楽器ケース１内に上向きに設けても良く、またスピーカ１０を楽器ケース１内に前向きに設けても良い。
【００９７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９８】
（付記）
請求項１に記載の発明は、鍵盤部が設けられた楽器ケースと、前記楽器ケースの上部に配置される天板と、前記鍵盤部の鍵配列方向における前記天板の一端部が前記楽器ケースの上部にその上下方向に回転可能である天板開閉機構と、前記天板が配置される前記楽器ケースの前端上部に、譜面板を後方に傾いた状態で取り付け可能な譜面台と、を備え、前記天板開閉機構は、前記天板を前記楽器ケースの前後方向にスライド可能に取り付け、少なくとも前記譜面板の上端部が前記譜面台から前記天板側に突出した距離以上前記天板を前記楽器ケースの後方に向けてスライドさせた状態で、前記天板の前記一端部を中心に前記天板を上方向に回転させて前記楽器ケースの上部を開状態に可能とすることを特徴とする鍵盤楽器である。
【００９９】
請求項２に記載の発明は、請求項１に記載の鍵盤楽器において、前記天板開閉機構は、前記天板の前記一端部を、これに対応する前記楽器ケースの一端部に、当該楽器ケースの前後方向にスライド可能で、かつ上下方向に回転可能に取り付けるスライド回転支持部を備えていることを特徴とする鍵盤楽器である。
【０１００】
請求項３に記載の発明は、請求項１または請求項２に記載の鍵盤楽器において、前記天板開閉機構は更に、前記天板の前記一端部と反対側に位置する前記天板の他端部を、これに対応する前記楽器ケースの他端部に、当該楽器ケースの前後方向にガイドするガイド機構部を備えていることを特徴とする鍵盤楽器である。
【０１０１】
請求項４に記載の発明は、請求項３に記載の鍵盤楽器において、前記ガイド機構部は、前記天板の前記他端部とこれに対応する前記楽器ケースの前記他端部との一方に設けられたガイドフック部と、前記天板の前記他端部とこれに対応する前記楽器ケースの前記他端部との他方に設けられ、前記ガイドフック部を前記楽器ケースの前後方向に相対的にガイドし、かつ前記天板が前記楽器ケースの後方に移動した際に前記ガイドフック部を離脱可能にする切欠き部が設けられたガイド溝と、を有していることを特徴とする鍵盤楽器である。
【０１０２】
請求項５に記載の発明は、請求項１〜請求項４のいずれかに記載の鍵盤楽器において、前記天板には、前記譜面立て部が配置される切欠き部が、前記譜面立て部に対応して設けられていることを特徴とする鍵盤楽器である。
【０１０３】
請求項６に記載の発明は、請求項１〜請求項５のいずれかに記載の鍵盤楽器において、前記天板が開放された際に前記天板を支持する支持部材を備えていることを特徴とする鍵盤楽器である。
【符号の説明】
【０１０４】
１  楽器ケース
６、４０  天板
７  鍵盤部
９  鍵
１０  スピーカ
１３  鍵盤蓋
１４  蓋ガイド部
１５  前蓋
１６  後蓋
２２、４１  譜面立て部
２３、４２  譜面台
２４  譜面板
２５  天板開閉機構
２６  スライド回転支持部
３０  ガイド機構部
３１  ガイドフック部
３２  ガイド溝
３２ｃ  切欠き部
３５  天板支持部材
４３  切欠き部
【図１】
2015184330.tif 000003
【図２】
2015184330.tif 000004
【図３】
2015184330.tif 000005
【図４】
2015184330.tif 000006
【図５】
2015184330.tif 000007
【図６】
2015184330.tif 000008